(57)【要約】【課題】広告の評価の精度を高めること。【解決手段】情報処理装置は、放送番組の視聴履歴を表す第１履歴情報を取得する第１取得部と、広告の視聴履歴を表す第２履歴情報を取得する第２取得部と、前記第１履歴情報と前記第２履歴情報とに基づいて、第１放送番組と、前記第１放送番組を宣伝する第１広告との両方を視聴した視聴者数を特定し、特定した前記視聴者数に基づいて前記第１広告の効果を分析する分析部と、を備え、前記分析部は、前記第１放送番組を視聴し、且つ、前記第１放送番組の放送前に前記第１広告を視聴したことを条件として設定し、前記第１履歴情報と前記第２履歴情報から条件に合致する視聴者を抽出することで、前記視聴者数を特定する。【選択図】図１
2018125864.tif 000002
【特許請求の範囲】
【請求項１】
放送番組の視聴履歴を表す第１履歴情報を取得する第１取得部と、
広告の視聴履歴を表す第２履歴情報を取得する第２取得部と、
前記第１履歴情報と前記第２履歴情報とに基づいて、第１放送番組と、前記第１放送番組を宣伝する第１広告との両方を視聴した視聴者数を特定し、特定した前記視聴者数に基づいて前記第１広告の効果を分析する分析部と、
を備え、
前記分析部は、前記第１放送番組を視聴し、且つ、前記第１放送番組の放送前に前記第１広告を視聴したことを条件として設定し、前記第１履歴情報と前記第２履歴情報から条件に合致する視聴者を抽出することで、前記視聴者数を特定する
情報処理装置。
【請求項２】
放送番組の視聴履歴を表す第１履歴情報を取得する第１取得部と、
広告の視聴履歴を表す第２履歴情報を取得する第２取得部と、
前記第１履歴情報と前記第２履歴情報とに基づいて、第１放送番組と、前記第１放送番組を宣伝する第１広告との両方を視聴した視聴者数を特定し、特定した前記視聴者数に基づいて前記第１広告の効果を分析する分析部と、
を備え、
前記分析部は、前記第１放送番組を視聴し、且つ、前記第１放送番組の視聴前に前記第１広告を視聴したことを条件として設定し、前記第１履歴情報と前記第２履歴情報から条件に合致する視聴者を抽出することで、前記視聴者数を特定する
情報処理装置。
【請求項３】
放送番組の視聴履歴を表す第１履歴情報を取得する第１取得部と、
広告の視聴履歴を表す第２履歴情報を取得する第２取得部と、
前記第１履歴情報と前記第２履歴情報とに基づいて、第１放送番組と、前記第１放送番組を宣伝する第１広告との両方を視聴した視聴者数を特定し、特定した前記視聴者数に基づいて前記第１広告の効果を分析する分析部と、
を備え、
前記分析部は、前記視聴者数に、前記第１放送番組に関連する放送番組の視聴者数と、前記第１放送番組の広告であって、前記第１広告とは異なる第２広告の視聴者数との両方又はいずれかを含めない
情報処理装置。
【請求項４】
放送番組の視聴履歴を表す第１履歴情報を取得する第１取得部と、
広告の視聴履歴を表す第２履歴情報を取得する第２取得部と、
前記第１履歴情報、前記第２履歴情報、及び、第１履歴情報と第２履歴情報に含まれる識別情報に対応付けられたユーザ属性情報に基づいて、第１放送番組と、前記第１放送番組を宣伝する第１広告との両方を視聴した視聴者数を前記ユーザ属性情報毎に特定し、特定した前記ユーザ属性情報毎の視聴者数に基づいて前記第１広告の効果を分析する分析部と、
を備える情報処理装置。
【請求項５】
放送番組の視聴履歴を表す第１履歴情報を取得する第１取得部と、
広告の視聴履歴を表す第２履歴情報を取得する第２取得部と、
前記第１履歴情報と前記第２履歴情報とに基づいて、第１放送番組と前記第１放送番組を宣伝する第１広告との両方を視聴した視聴者数と、前記第１放送番組の放送時に前記第１放送番組とは異なる第２放送番組を視聴し、かつ、前記第１放送番組を宣伝する第１広告を視聴した或いは視聴しなかった視聴者数と、を特定し、特定した前記視聴者数に基づいて前記第１広告の効果を分析する分析部と、
を備える情報処理装置。
【請求項６】
情報処理装置における情報処理方法であって、
第１取得部が、放送番組の視聴履歴を表す第１履歴情報を取得する第１取得ステップと、
第２取得部が、広告の視聴履歴を表す第２履歴情報を取得する第２取得ステップと、
分析部が、前記第１履歴情報と前記第２履歴情報とに基づいて、第１放送番組と、前記第１放送番組を宣伝する第１広告との両方を視聴した視聴者数を特定し、特定した前記視聴者数に基づいて前記第１広告の効果を分析する分析ステップと、
を有し、
前記分析ステップにおいて、前記第１放送番組を視聴し、且つ、前記第１放送番組の放送前に前記第１広告を視聴したことを条件として設定し、前記第１履歴情報と前記第２履歴情報から条件に合致する視聴者を抽出することで、前記視聴者数を特定する
情報処理方法。
【請求項７】
情報処理装置における情報処理方法であって、
第１取得部が、放送番組の視聴履歴を表す第１履歴情報を取得する第１取得ステップと、
第２取得部が、広告の視聴履歴を表す第２履歴情報を取得する第２取得ステップと、
分析部が、前記第１履歴情報と前記第２履歴情報とに基づいて、第１放送番組と、前記第１放送番組を宣伝する第１広告との両方を視聴した視聴者数を特定し、特定した前記視聴者数に基づいて前記第１広告の効果を分析する分析ステップと、
を有し、
前記分析ステップにおいて、前記第１放送番組を視聴し、且つ、前記第１放送番組の視聴前に前記第１広告を視聴したことを条件として設定し、前記第１履歴情報と前記第２履歴情報から条件に合致する視聴者を抽出することで、前記視聴者数を特定する
情報処理方法。
【請求項８】
情報処理装置における情報処理方法であって、
第１取得部が、放送番組の視聴履歴を表す第１履歴情報を取得する第１取得ステップと、
第２取得部が、広告の視聴履歴を表す第２履歴情報を取得する第２取得ステップと、
分析部が、前記第１履歴情報と前記第２履歴情報とに基づいて、第１放送番組と、前記第１放送番組を宣伝する第１広告との両方を視聴した視聴者数を特定し、特定した前記視聴者数に基づいて前記第１広告の効果を分析する分析ステップと、
を有し、
前記分析ステップにおいて、前記視聴者数に、前記第１放送番組に関連する放送番組の視聴者数と、前記第１放送番組の広告であって、前記第１広告とは異なる第２広告の視聴者数との両方又はいずれかを含めない
情報処理方法。
【請求項９】
情報処理装置における情報処理方法であって、
第１取得部が、放送番組の視聴履歴を表す第１履歴情報を取得する第１取得ステップと、
第２取得部が、広告の視聴履歴を表す第２履歴情報を取得する第２取得ステップと、
分析部が、前記第１履歴情報、前記第２履歴情報、及び、第１履歴情報と第２履歴情報に含まれる識別情報に対応付けられたユーザ属性情報に基づいて、第１放送番組と、前記第１放送番組を宣伝する第１広告との両方を視聴した視聴者数を前記ユーザ属性情報毎に特定し、特定した前記ユーザ属性情報毎の視聴者数に基づいて前記第１広告の効果を分析する分析ステップと、
を有する情報処理方法。
【請求項１０】
情報処理装置における情報処理方法であって、
第１取得部が、放送番組の視聴履歴を表す第１履歴情報を取得する第１取得ステップと、
第２取得部が、広告の視聴履歴を表す第２履歴情報を取得する第２取得ステップと、
分析部が、前記第１履歴情報と前記第２履歴情報とに基づいて、第１放送番組と前記第１放送番組を宣伝する第１広告との両方を視聴した視聴者数と、前記第１放送番組の放送時に前記第１放送番組とは異なる第２放送番組を視聴し、かつ、前記第１放送番組を宣伝する第１広告を視聴した或いは視聴しなかった視聴者数と、を特定し、特定した前記視聴者数に基づいて前記第１広告の効果を分析する分析ステップと、
を有する情報処理方法。
【請求項１１】
コンピュータを、請求項１から請求項５のいずれか一項に記載の情報処理装置として機能させるためのプログラム。
【発明の詳細な説明】
【技術分野】
【０００１】
本発明は、情報処理装置、情報処理方法、及びプログラムに関する。
【背景技術】
【０００２】
静止画像、動画、音声、テキスト等により構成されるコンテンツが、放送波や通信網を介して提供されている。また、このようなコンテンツを宣伝する広告が制作され、放送波や通信網を介して提供されている。このような背景において、広告の効果を評価することが行われている。
【０００３】
例えば、特許文献１には、デジタル放送を受信してコマーシャル（ＣＭ）の挿入された放送番組を視聴するデジタル放送受信装置において、受信した放送番組データに付加されＣＭ評価基準が記述されているユーザデータを抽出するユーザデータ抽出部と、ＣＭ視聴時の視聴者の視聴状態を検出する視聴状態検出部と、検出した視聴状態に応じて上記ＣＭ評価基準を参照してＣＭ効果値を算出するＣＭ効果算出部と、上記算出されたＣＭ効果値を送信側へ送出するＣＭ効果送出部と、を備えることを特徴とするデジタル放送受信装置が開示されている。
【先行技術文献】
【特許文献】
【０００４】
【特許文献１】特開２００９−６０４８４号公報
【発明の概要】
【発明が解決しようとする課題】
【０００５】
ところで、特許文献１に記載の技術は、広告（コマーシャル）の視聴状態に基づいて効果を評価する。しかしながら、広告の視聴状態からは、その広告の視聴により、広告の宣伝対象に対して視聴者の興味を惹起することができたか否かは、必ずしも判断することはできない。このように、広告の評価の精度を高めることができない場合があった。
【０００６】
本発明は上記の点に鑑みてなされたものであり、広告の評価の精度を高めることができる情報処理装置、情報処理方法、及びプログラムを提供する。
【課題を解決するための手段】
【０００７】
本発明は上記の課題を解決するためになされたものであり、本発明の一態様は、放送番組の視聴履歴を表す第１履歴情報を取得する第１取得部と、広告の視聴履歴を表す第２履歴情報を取得する第２取得部と、前記第１履歴情報と前記第２履歴情報とに基づいて、第１放送番組と、前記第１放送番組を宣伝する第１広告との両方を視聴した視聴者数を特定し、特定した前記視聴者数に基づいて前記第１広告の効果を分析する分析部と、を備え、前記分析部は、前記第１放送番組を視聴し、且つ、前記第１放送番組の放送前に前記第１広告を視聴したことを条件として設定し、前記第１履歴情報と前記第２履歴情報から条件に合致する視聴者を抽出することで、前記視聴者数を特定する情報処理装置である。
【０００８】
また、本発明の一態様は、放送番組の視聴履歴を表す第１履歴情報を取得する第１取得部と、広告の視聴履歴を表す第２履歴情報を取得する第２取得部と、前記第１履歴情報と前記第２履歴情報とに基づいて、第１放送番組と、前記第１放送番組を宣伝する第１広告との両方を視聴した視聴者数を特定し、特定した前記視聴者数に基づいて前記第１広告の効果を分析する分析部と、を備え、前記分析部は、前記第１放送番組を視聴し、且つ、前記第１放送番組の視聴前に前記第１広告を視聴したことを条件として設定し、前記第１履歴情報と前記第２履歴情報から条件に合致する視聴者を抽出することで、前記視聴者数を特定する情報処理装置である。
【０００９】
また、本発明の一態様は、放送番組の視聴履歴を表す第１履歴情報を取得する第１取得部と、広告の視聴履歴を表す第２履歴情報を取得する第２取得部と、前記第１履歴情報と前記第２履歴情報とに基づいて、第１放送番組と、前記第１放送番組を宣伝する第１広告との両方を視聴した視聴者数を特定し、特定した前記視聴者数に基づいて前記第１広告の効果を分析する分析部と、を備え、前記分析部は、前記視聴者数に、前記第１放送番組に関連する放送番組の視聴者数と、前記第１放送番組の広告であって、前記第１広告とは異なる第２広告の視聴者数との両方又はいずれかを含めない情報処理装置である。
【００１０】
また、本発明の一態様は、放送番組の視聴履歴を表す第１履歴情報を取得する第１取得部と、広告の視聴履歴を表す第２履歴情報を取得する第２取得部と、前記第１履歴情報、前記第２履歴情報、及び、第１履歴情報と第２履歴情報に含まれる識別情報に対応付けられたユーザ属性情報に基づいて、第１放送番組と、前記第１放送番組を宣伝する第１広告との両方を視聴した視聴者数を前記ユーザ属性情報毎に特定し、特定した前記ユーザ属性情報毎の視聴者数に基づいて前記第１広告の効果を分析する分析部と、を備える情報処理装置である。
【００１１】
また、本発明の一態様は、放送番組の視聴履歴を表す第１履歴情報を取得する第１取得部と、広告の視聴履歴を表す第２履歴情報を取得する第２取得部と、前記第１履歴情報と前記第２履歴情報とに基づいて、第１放送番組と前記第１放送番組を宣伝する第１広告との両方を視聴した視聴者数と、前記第１放送番組の放送時に前記第１放送番組とは異なる第２放送番組を視聴し、かつ、前記第１放送番組を宣伝する第１広告を視聴した或いは視聴しなかった視聴者数と、を特定し、特定した前記視聴者数に基づいて前記第１広告の効果を分析する分析部と、を備える情報処理装置である。
【００１２】
また、本発明の一態様は、情報処理装置における情報処理方法であって、第１取得部が、放送番組の視聴履歴を表す第１履歴情報を取得する第１取得ステップと、第２取得部が、広告の視聴履歴を表す第２履歴情報を取得する第２取得ステップと、分析部が、前記第１履歴情報と前記第２履歴情報とに基づいて、第１放送番組と、前記第１放送番組を宣伝する第１広告との両方を視聴した視聴者数を特定し、特定した前記視聴者数に基づいて前記第１広告の効果を分析する分析ステップと、を有し、前記分析ステップにおいて、前記第１放送番組を視聴し、且つ、前記第１放送番組の放送前に前記第１広告を視聴したことを条件として設定し、前記第１履歴情報と前記第２履歴情報から条件に合致する視聴者を抽出することで、前記視聴者数を特定する情報処理方法である。
【００１３】
また、本発明の一態様は、情報処理装置における情報処理方法であって、第１取得部が、放送番組の視聴履歴を表す第１履歴情報を取得する第１取得ステップと、第２取得部が、広告の視聴履歴を表す第２履歴情報を取得する第２取得ステップと、分析部が、前記第１履歴情報と前記第２履歴情報とに基づいて、第１放送番組と、前記第１放送番組を宣伝する第１広告との両方を視聴した視聴者数を特定し、特定した前記視聴者数に基づいて前記第１広告の効果を分析する分析ステップと、を有し、前記分析ステップにおいて、前記第１放送番組を視聴し、且つ、前記第１放送番組の視聴前に前記第１広告を視聴したことを条件として設定し、前記第１履歴情報と前記第２履歴情報から条件に合致する視聴者を抽出することで、前記視聴者数を特定する情報処理方法である。
【００１４】
また、本発明の一態様は、情報処理装置における情報処理方法であって、第１取得部が、放送番組の視聴履歴を表す第１履歴情報を取得する第１取得ステップと、第２取得部が、広告の視聴履歴を表す第２履歴情報を取得する第２取得ステップと、分析部が、前記第１履歴情報と前記第２履歴情報とに基づいて、第１放送番組と、前記第１放送番組を宣伝する第１広告との両方を視聴した視聴者数を特定し、特定した前記視聴者数に基づいて前記第１広告の効果を分析する分析ステップと、を有し、前記分析ステップにおいて、前記視聴者数に、前記第１放送番組に関連する放送番組の視聴者数と、前記第１放送番組の広告であって、前記第１広告とは異なる第２広告の視聴者数との両方又はいずれかを含めない情報処理方法である。
【００１５】
また、本発明の一態様は、情報処理装置における情報処理方法であって、第１取得部が、放送番組の視聴履歴を表す第１履歴情報を取得する第１取得ステップと、第２取得部が、広告の視聴履歴を表す第２履歴情報を取得する第２取得ステップと、分析部が、前記第１履歴情報、前記第２履歴情報、及び、第１履歴情報と第２履歴情報に含まれる識別情報に対応付けられたユーザ属性情報に基づいて、第１放送番組と、前記第１放送番組を宣伝する第１広告との両方を視聴した視聴者数を前記ユーザ属性情報毎に特定し、特定した前記ユーザ属性情報毎の視聴者数に基づいて前記第１広告の効果を分析する分析ステップと、を有する情報処理方法である。
【００１６】
また、本発明の一態様は、情報処理装置における情報処理方法であって、第１取得部が、放送番組の視聴履歴を表す第１履歴情報を取得する第１取得ステップと、  第２取得部が、広告の視聴履歴を表す第２履歴情報を取得する第２取得ステップと、分析部が、前記第１履歴情報と前記第２履歴情報とに基づいて、第１放送番組と前記第１放送番組を宣伝する第１広告との両方を視聴した視聴者数と、前記第１放送番組の放送時に前記第１放送番組とは異なる第２放送番組を視聴し、かつ、前記第１放送番組を宣伝する第１広告を視聴した或いは視聴しなかった視聴者数と、を特定し、特定した前記視聴者数に基づいて前記第１広告の効果を分析する分析ステップと、を有する情報処理方法である。
【００１７】
また、本発明の一態様は、コンピュータを、上記として機能させるためのプログラムである。
【発明の効果】
【００１８】
本発明の実施形態によれば、広告の評価の精度を高めることができる。
【図面の簡単な説明】
【００１９】
【図１】本発明の第１の実施形態に係る情報処理システムによる広告評価処理の概要を示す図である。
【図２】同実施形態に係る視聴情報分析装置が出力するレポートの第１例を示す図である。
【図３】同実施形態に係る視聴情報分析装置が出力するレポートの第２例を示す図である。
【図４】同実施形態に係る番組メタ情報の一例を示す図である。
【図５】同実施形態に係る番宣メタ情報の一例を示す図である。
【図６】同実施形態に係る番組視聴情報の一例を示す図である。
【図７】同実施形態に係る番宣視聴情報の一例を示す図である。
【図８】同実施形態に係る情報処理システムの構成の一例を示すブロック図である。
【図９】同実施形態に係るコンピュータシステムのハードウェア構成の一例を示す図である。
【図１０】同実施形態に係る情報処理システムによる処理の流れの一例を示すシーケンスチャートである。
【図１１】本発明の第２の実施形態に係る情報処理システムによる広告評価処理の概要を示す図である。
【図１２】本発明の第３の実施形態に係る情報処理システムによる広告評価処理の概要を示す図である。
【図１３】本発明の第４の実施形態に係る視聴情報分析装置が出力するレポートの一例を示す図である。
【図１４】同実施形態に係るユーザ属性情報の一例を示す図である。
【図１５】本発明の第５の実施形態に係る番宣メタ情報の一例を示す図である。
【図１６】同実施形態に係る番宣視聴情報の一例を示す図である。
【発明を実施するための形態】
【００２０】
以下、図面を参照しながら本発明の実施形態について説明する。
［第１の実施形態］
〔情報処理システムの概要〕
本発明の第１の実施形態について説明する。
まず、本実施形態に係る情報処理システム１の概要について説明する。
情報処理システム１は、番宣の効果を評価するシステムである。
情報処理システム１は、放送コンテンツと、通信コンテンツとの２種類のコンテンツを扱う。放送コンテンツとは、放送を介して伝送されるコンテンツである。通信コンテンツとは、通信を介して伝送されるコンテンツである。ここで、本実施形態において、コンテンツとは、メディアが記録・伝送し、人間が観賞するひとまとまりの情報のことをいう。すなわち、コンテンツとは、映像や画像、音楽、文章、あるいはそれらの組み合わせである。具体的には、コンテンツとは、例えば、放送番組、放送番組間に放映されるＣＭ、サーバ装置から配信されＷｅｂブラウザ上に表示される動画広告等である。
番宣とは、放送番組を宣伝する広告である。本実施形態では、番宣が動画広告等の通信コンテンツである場合について説明する。この場合、番宣は、例えば、Ｗｅｂブラウザ等により表示される。ただし、番宣は、ＣＭ等の放送コンテンツであってもよい。本実施形態では、一例として、放送番組と、番宣とは、別々のコンテンツである。以下では、情報処理システム１により、効果を評価する対象の番宣を評価番宣と称する。また、評価番宣が宣伝する放送番組を評価番組と称する。
【００２１】
図１は、本実施形態に係る情報処理システム１による広告評価処理の概要を示す図である。
情報処理システム１は、番宣の視聴履歴を表す番宣視聴情報と、放送番組の視聴履歴を表す番組視聴情報とを取得する。そして、情報処理システム１は、番宣視聴情報及び番組視聴情報から、ユーザ群Ｕのうち、評価番宣視聴群Ｃと、評価番組視聴群Ｐとを特定する。
ユーザ群Ｕとは、情報処理システム１が備える受信装置３０（図８）の全ユーザである。受信装置３０は、放送番組、番宣を受信し、再生する装置である。つまり、ユーザとは、放送番組、番宣の視聴者である。
【００２２】
評価番宣視聴群Ｃとは、評価番宣を視聴したユーザ群である。
評価番組視聴群Ｐとは、評価番組を視聴したユーザ群である。
さらに、情報処理システム１は、ユーザ群Ｕのうち、評価番宣と評価番組との両方を視聴した番宣番組視聴群ＣＰを特定する。そして、情報処理システム１は、番宣番組視聴群ＣＰの人数に基づいて、評価番宣の効果を分析する。具体的には、情報処理システム１は、例えば、評価番宣を視聴したユーザのうち、実際に評価番組を視聴したユーザの比率や、評価番組を視聴したユーザのうち、評価番宣を視聴したユーザの比率等を、ユーザ群Ｕにおいて分析する。そして、情報処理システム１は、分析結果をレポートとして出力する。これにより、情報処理システム１は、例えば広告事業者等に、どのような広告が効果的であるのかを分かり易く示すことができ、より効果的な広告の作成を促すことができる。
【００２３】
〔レポート〕
ここで、情報処理システム１が出力するレポートについて説明する。
図２は、本実施形態に係る情報処理システム１が出力するレポートの第１例を示す図である。
図２に示すレポートＲ１は、ユーザ群Ｕを、評価番宣の視聴の有無と、評価番組の視聴の有無とに基づいて４群に分類し、ユーザ群Ｕ全体に占める各群の割合を表したものである。
例えば、評価番宣を視聴したユーザ（図２における「番宣を見た」）のうち、評価番組を視聴していないユーザ（図２における「番組を見ていない」）に対して、評価番組を視聴したユーザ（図２における「番組を見た」）の割合が高ければ、評価番宣の効果が高いと評価することができる。他方、評価番宣を視聴したユーザのうち、評価番組を視聴したユーザに対して、評価番組を視聴していないユーザの割合が高ければ、評価番宣の効果が低いと評価することができる。
【００２４】
また、例えば、評価番宣を視聴していないユーザ（図２における「番宣を見ていない」）のうち、評価番組を視聴していないユーザと、評価番組を視聴したユーザとの比率を確認することで、評価番宣に関わらず評価番組を視聴したユーザの割合を確認することができる。つまり、評価番宣を視聴していないユーザのうち、評価番組を視聴していないユーザと、評価番組を視聴したユーザとの比率を分析することで、評価番宣の効果をさらに高い精度で評価することができる。
【００２５】
図３は、本実施形態に係る情報処理システム１が出力するレポートの第２例を示す図である。
図３に示すレポートＲ２では、レポートＲ１におけるユーザ群Ｕの分類に加え、評価番組を視聴していないユーザを、その理由に応じてさらに２群に分類している。
例えば、評価番宣を視聴しなかったユーザには、評価番宣の効果が少なくて評価番組を視聴しなかったユーザと、評価番組の放送時にやむを得ず放送番組を視聴することができなかったユーザとが含まれると考えられる。このうち、例えば、評価番組の放送時に放送番組を視聴することができなかったユーザは、受信装置３０を利用していないことが想定される。従って、レポートＲ２では、評価番組の放送時に他の番組を視聴していたユーザ（図３における「他の番組を見ていた」）と、受信装置３０を利用していなかったユーザ（図３における「テレビを見ていなかった」）とに、評価番組を視聴していなかったユーザを分類し、その割合を示すことで、評価番宣の効果をさらに精度良く評価することができる。
【００２６】
〔番組メタ情報〕
次に、情報処理システム１において、参照、処理される情報について説明する。
まずは、番組メタ情報について説明する。番組メタ情報とは、放送番組の属性等を示す情報である。
図４は、本実施形態に係る番組メタ情報の一例を示す図である。
図４に示す例において、番組メタ情報の各レコードは、番組ＩＤ（ＩＤｅｎｔｉｆｉｅｒ）（図４における「番組ＩＤ」）と、番組放送局情報（図４における「放送局」）と、番組名情報（図４における「番組名」）と、番組放送開始時刻情報（図４における「放送開始時刻」）と、番組放送終了時刻情報（図４における「放送終了時刻」）と、番組時間情報（図４における「時間」）と、対象番宣ＩＤ（図４における「対象番宣ＩＤ」）と、が互いに対応付けられて構成されている。
【００２７】
番組ＩＤは、放送番組を識別する情報である。
番組放送局情報は、放送番組の放送元の放送局を識別する情報である。
番組名情報は、放送番組の名称を示す情報である。
番組放送開始時刻情報は、放送番組の放送開始時刻を示す情報である。
番組放送終了時刻情報は、放送番組の放送終了時刻を示す情報である。
番組時間情報は、放送番組の時間的な長さを示す情報である。放送番組の長さは、放送番組の開始時刻から終了時刻までの時間の長さに一致する。従って、番組放送開始時刻情報、番組放送終了時刻情報、番組時間情報が必要となる場合であっても、これらのうちのいずれかが省略されてもよい。
対象番宣ＩＤは、放送番組を広告する番宣を示す情報である。対象番宣ＩＤには、番宣を識別する情報である番宣ＩＤが記述される。
【００２８】
番組メタ情報の各レコードにおいて、番組放送局情報、番組名情報、番組放送開始時刻情報、番組放送終了時刻情報、番組時間情報、及び、対象番宣ＩＤには、これらに対応する番組ＩＤの放送番組に係る情報が記述される。このように、番組メタ情報では、放送番組に番宣が対応付けられている。
以上が番組メタ情報についての説明である。
【００２９】
〔番宣メタ情報〕
次に、番宣メタ情報について説明する。番宣メタ情報とは、番宣の属性等を示す情報である。
図５は、本実施形態に係る番宣メタ情報の一例を示す図である。
図５に示す例において、番宣メタ情報の各レコードは、番宣ＩＤ（図５における「番組ＩＤ」）と、番宣放送局情報（図５における「放送局」）と、番宣名情報（図５における「番宣名」）と、番宣時間情報（図５における「時間」）と、対象番組ＩＤ（図５における「対象番組ＩＤ」）と、が互いに対応付けられて構成されている。
【００３０】
番宣ＩＤは、番宣を識別する情報である。
番宣放送局情報は、番宣の配信元の放送局を識別する情報である。
番宣名情報は、番宣の名称を示す情報である。
番宣時間情報は、番宣の時間的な長さを示す情報である。
対象番組ＩＤは、番宣が宣伝する放送番組を示す情報である。対象番組ＩＤには、例えば、番組ＩＤが記述される。
【００３１】
番宣メタ情報の各レコードにおいて、番宣放送局情報、番宣名情報、番宣時間情報、及び、対象番組ＩＤには、これらに対応する番宣ＩＤの番宣に係る情報が記述される。このように、番宣メタ情報では、番宣に放送番組が対応付けられている。
以上が番宣メタ情報についての説明である。
【００３２】
〔番組視聴情報〕
次に、番組視聴情報について説明する。番組視聴情報とは、番組の視聴履歴を示す情報である。
図６は、本実施形態に係る番組視聴情報の一例を示す図である。
図６に示す例において、番組視聴情報の各レコードは、番組端末ＩＤ（図６における「端末ＩＤ」）と、視聴番組ＩＤ（図６における「番組ＩＤ」）と、番組視聴開始時刻情報（図６における「視聴開始時刻」）と、番組視聴終了時刻情報（図６における「視聴終了時刻」）と、が互いに対応付けられて構成されている。
【００３３】
番組端末ＩＤは、放送番組の受信装置３０を示す情報である。番組端末ＩＤには、受信装置３０を識別する端末ＩＤが記述される。端末ＩＤは、受信装置３０のユーザを識別するユーザＩＤの一例である。
視聴番組ＩＤは、視聴された番組を識別する情報である。視聴番組ＩＤには、番組ＩＤが記述される。
番組視聴開始時刻情報は、放送番組の視聴開始時刻を示す情報である。放送番組の視聴開始時刻とは、例えば、放送番組の受信装置３０において、放送番組の表示が開始された時刻である。放送番組の表示は、チャンネルの切り替えや電源の投入等により開始される。つまり、本実施形態において、放送番組の視聴とは、放送番組の表示に対応する。
番組視聴終了時刻情報は、放送番組の視聴終了時刻を示す情報である。放送番組の視聴終了時刻とは、例えば、放送番組の受信装置３０において、放送番組の表示が終了された時刻である。放送番組の表示は、放送番組の末尾の再生、チャンネルの切り替え、電源の切断等により終了される。
【００３４】
番組視聴情報の各レコードにおいて、視聴番組ＩＤ、番組視聴開始時刻情報、及び、番組視聴終了時刻情報には、これらに対応する番組端末ＩＤの受信装置３０による放送番組の視聴に係る情報が記述される。
以上が番組視聴情報についての説明である。
【００３５】
〔番宣視聴情報〕
次に、番宣視聴情報について説明する。番宣視聴情報とは、番宣の視聴履歴を示す情報である。
図７は、本実施形態に係る番宣視聴情報の一例を示す図である。
図７に示す例において、番宣視聴情報の各レコードは、番宣端末ＩＤ（図７における「端末ＩＤ」）と、視聴番宣ＩＤ（図７における「番宣ＩＤ」）と、番宣視聴開始時刻情報（図７における「視聴開始時刻」）と、番宣視聴終了時刻情報（図７における「視聴終了時刻」）と、が互いに対応付けられて構成されている。
【００３６】
番宣端末ＩＤは、番宣の受信装置３０を示す情報である。番宣端末ＩＤには、端末ＩＤが記述される。
視聴番宣ＩＤは、視聴された番宣を識別する情報である。視聴番宣ＩＤには、番宣ＩＤが記述される。
番宣視聴開始時刻情報は、番宣の視聴開始時刻を示す情報である。番宣の視聴開始時刻とは、例えば、情報処理システム１が備える番宣管理装置５０から受信装置３０に、番宣のデータの配信が開始された時刻である。また、例えば、番宣の視聴開始時刻とは、番宣の受信装置３０において、番宣の表示が開始された時刻であってもよい。番宣の表示は、Ｗｅｂブラウザの起動やページの切り替え、電源の投入等により開始される。つまり、本実施形態において、番宣の視聴とは、番宣のデータの配信や、番宣の表示に対応する。  番宣視聴終了時刻情報は、番宣の視聴終了時刻を示す情報である。番宣の視聴終了時刻とは、例えば、番宣の受信装置３０において、番宣の表示が終了された時刻である。番宣の表示は、番宣の末尾の再生、Ｗｅｂブラウザの終了やページの切り替え、電源の切断等により終了される。
【００３７】
番宣視聴情報の各レコードにおいて、視聴番宣ＩＤ、番宣視聴開始時刻情報、及び、番宣視聴終了時刻情報には、これらに対応する番宣端末ＩＤの受信装置３０による番宣の視聴についての情報が記述される。
以上が番宣視聴情報についての説明である。
【００３８】
〔情報処理システムの構成〕
次に、情報処理システム１の構成について説明する。
図８は、本実施形態に係る情報処理システム１の構成の一例を示すブロック図である。  情報処理システム１は、視聴情報分析装置１０と、受信装置３０と、番宣管理装置５０と、メタ情報管理装置７０と、放送装置９０とを、備える。受信装置３０は、１台以上の複数であってよい。視聴情報分析装置１０と、受信装置３０と、番宣管理装置５０と、メタ情報管理装置７０とは、それぞれ、ネットワークＮＷに接続され、互いに通信を行うことができる。
【００３９】
視聴情報分析装置１０は、例えば、サーバ装置である。視聴情報分析装置１０は、番組メタ情報、番宣メタ情報、番組視聴情報、及び、番組視聴情報に基づいて、放送番組や番宣の視聴に応じてユーザを分類し、レポートを生成する装置である。
受信装置３０は、例えば、テレビ、パーソナルコンピュータ、携帯電話、タブレット、スマートフォン、ＰＨＳ（Ｐｅｒｓｏｎａｌ  Ｈａｎｄｙ−ｐｈｏｎｅ  Ｓｙｓｔｅｍ）端末装置、又はＰＤＡ（Ｐｅｒｓｏｎａｌ  Ｄｉｇｉｔａｌ  Ａｓｓｉｓｔａｎｔ）等の電子機器である。受信装置３０は、放送番組や番宣を表示する装置である。ここでは、説明を簡易にするため、受信装置３０が放送番組と番宣との両方を表示可能であり、各ユーザは、放送番組と番宣との両方を各ユーザが１台ずつ利用する受信装置３０により視聴する場合について説明する。
番宣管理装置５０は、例えば、サーバ装置である。番宣管理装置５０は、番宣のデータを管理し、他の装置からの要求に応じて番宣のデータを配信する装置である。
メタ情報管理装置７０は、例えば、サーバ装置である。メタ情報管理装置７０は、番組メタ情報と番宣メタ情報とを管理し、他の装置からの要求に応じて番組メタ情報と番宣メタ情報とを配信する装置である。
放送装置９０は、放送番組を放送する装置である。
【００４０】
ネットワークＮＷは、ＷＡＮ（Ｗｉｄｅ  Ａｒｅａ  Ｎｅｔｗｏｒｋ）及びＬＡＮ（Ｌｏｃａｌ  Ａｒｅａ  Ｎｅｔｗｏｒｋ）などによって構成される情報通信ネットワークである。ＷＡＮは、例えば、携帯電話網、ＰＨＳ（Ｐｅｒｓｏｎａｌ  Ｈａｎｄｙ−ｐｈｏｎｅ  Ｓｙｓｔｅｍ）網、ＰＳＴＮ（Ｐｕｂｌｉｃ  Ｓｗｉｔｃｈｅｄ  Ｔｅｌｅｐｈｏｎｅ  Ｎｅｔｗｏｒｋ；公衆交換電話網）、専用通信回線網、及びＶＰＮ（Ｖｉｒｔｕａｌ  Ｐｒｉｖａｔｅ  Ｎｅｔｗｏｒｋ）等によって構成される。
【００４１】
〔視聴情報分析装置の構成〕
次に、情報処理システム１が備える各装置の構成について説明する。
視聴情報分析装置１０は、通信部１１０と、レポート出力部１２０と、視聴情報記憶部１３０と、登録部１４０と、データ分析部１５０と、を備える。
通信部１１０は、通信用ＩＣ（Ｉｎｔｅｇｒａｔｅｄ  Ｃｉｒｃｕｉｔ）を備え、ネットワークＮＷに接続する他の装置と通信する。
レポート出力部１２０は、例えば、表示部を備え、レポートを表示する。レポート出力部１２０は、通信部１１０を介して、他の装置にレポートの情報を送信したり、印刷部にレポートを印刷させたり等、任意の方法でレポートを出力してよい。
視聴情報記憶部１３０は、番組視聴情報と番宣視聴情報とを記憶する。
登録部１４０は、受信装置３０から取得する番組視聴情報を視聴情報記憶部１３０に記憶させる。また、登録部１４０は、番宣管理装置５０から取得する番宣視聴情報を視聴情報記憶部１３０に記憶させる。
【００４２】
データ分析部１５０は、各種情報を参照して、評価番宣視聴群Ｃ、評価番組視聴群Ｐ、番宣番組視聴群ＣＰを特定する。ここでは、一例として、評価番宣が予め指定されている場合について説明する。
まず、評価番宣視聴群Ｃの特定について説明する。
データ分析部１５０は、視聴情報記憶部１３０に記憶されている番宣視聴情報のうち、評価番宣の視聴に係る番宣視聴情報を特定する。具体的には、データ分析部１５０は、評価番宣の番宣ＩＤが、視聴番宣ＩＤに記述されている番宣視聴情報を抽出する。番宣視聴情報は、ユーザによる番宣の視聴に対応しているため、番宣視聴情報の抽出により、評価番宣視聴群Ｃを特定することができる。そして、評価番宣視聴群Ｃの人数は、抽出した番宣視聴情報のレコードに含まれる番宣端末ＩＤの数を計数することにより取得することができる。
【００４３】
ここで、データ分析部１５０は、番宣視聴情報の抽出において別の条件を設定してもよい。例えば、評価番宣の視聴が評価番組の放送前に行われていること、評価番宣の視聴が評価番組の視聴前に行われていること、評価番宣の全体のうちの所定の割合以上が視聴されていること、評価番宣のうちの所定の部分が視聴されていること等を条件として設定可能である。これにより、評価番組の放送前や視聴前に評価番宣を視聴したユーザを特定したり、評価番宣の視聴量や視聴部位に応じた重み付けを行ってユーザを特定することができる。
【００４４】
次に、評価番組視聴群Ｐの特定について説明する。
データ分析部１５０は、視聴情報記憶部１３０に記憶されている番組視聴情報のうち、評価番組の視聴に係る番組視聴情報を特定する。具体的には、データ分析部１５０は、評価番組の番組ＩＤが、視聴番組ＩＤに記述されている番組視聴情報を抽出する。番組視聴情報は、ユーザによる放送番組の視聴に対応しているため、番組視聴情報の抽出により、評価番組視聴群Ｐを特定することができる。そして、評価番組視聴群Ｐの人数は、抽出した番組視聴情報のレコードに含まれる番組端末ＩＤの数を計数することにより取得することができる。
ここで、データ分析部１５０は、番組視聴情報の抽出において別の条件を設定してもよい。例えば、評価番組の全体のうちの所定の割合以上が視聴されていること、評価番組のうちの所定の部分が視聴されていること等を条件として設定可能である。これにより、評価番組の視聴量や視聴部位に応じた重み付けを行ってユーザを特定することができる。  なお、データ分析部１５０は、メタ情報管理装置７０から番宣メタ情報を取得し、取得した番宣メタ情報を参照することにより、評価番宣に対応する評価番組を特定することができる。
【００４５】
次に、番宣番組視聴群ＣＰの特定について説明する。
データ分析部１５０は、上述した処理により抽出された評価番宣視聴群Ｃの番宣視聴情報と、評価番組視聴群Ｐの番組視聴情報とを参照し、番宣端末ＩＤと番組端末ＩＤとに同じ端末ＩＤが記述されている番宣視聴情報と番組視聴情報とを抽出する。これにより、データ分析部１５０は、評価番宣と評価番組との両方を視聴した番宣番組視聴群ＣＰを特定することができる。そして、番宣番組視聴群ＣＰの人数は、抽出した番組視聴情報のレコードに含まれる番組端末ＩＤの数、又は、番宣視聴情報のレコードに含まれる番宣端末ＩＤの数のいずれかを計数することにより取得することができる。
以上が視聴情報分析装置１０の構成についての説明である。
【００４６】
〔受信装置の構成〕
次に、受信装置３０の構成について説明する。ここでは、一例として、受信装置３０がテレビである場合について説明する。
受信装置３０は、通信部３１０と、放送受信部３２０と、操作受付部３３０と、再生部３４０と、番組蓄積部３５０と、視聴制御部３６０と、番組視聴情報生成部３７０と、を備える。
通信部３１０は、通信用ＩＣを備え、ネットワークＮＷに接続する他の装置と通信する。
放送受信部３２０は、チューナーを備え、放送波を受信する。
操作受付部３３０は、リモコン等の任意の入力装置を備え、ユーザからの操作を受け付ける。
再生部３４０は、液晶ディスプレイや有機ＥＬ（Ｅｌｅｃｔｒｏ−Ｌｕｍｉｎｅｓｃｅｎｃｅ）ディスプレイなどの表示装置、スピーカ等を備える。
番組蓄積部３５０は、録画指示された放送番組のデータを記憶する。
【００４７】
視聴制御部３６０は、放送番組や番宣の再生を制御する。
具体的には、操作受付部３３０がユーザから放送番組の再生開始指示を受け付けた場合、視聴制御部３６０は、放送受信部３２０や番組蓄積部３５０からユーザに指示された放送番組のデータを取得し、再生部３４０に出力する。これにより、再生部３４０は、放送番組の表示や、放送番組の音声の再生を行う。操作受付部３３０がユーザから放送番組の再生終了指示を受け付けた場合、視聴制御部３６０は、放送番組のデータの取得、再生部３４０への出力を停止する。
また、操作受付部３３０が番宣の再生開始指示を受け付けた場合、視聴制御部３６０は、番宣管理装置５０に対して、番宣のデータの送信を要求する。視聴制御部３６０は、番宣のデータを取得すると、番宣のデータを再生部３４０に出力する。これにより、再生部３４０は、番宣の表示や、番宣の音声の再生を行う。操作受付部３３０がユーザから番宣の再生終了指示を受け付けた場合、視聴制御部３６０は、番宣のデータの取得、再生部３４０への出力を停止する。
【００４８】
番組視聴情報生成部３７０は、放送番組の再生に応じて番組視聴情報を生成する。具体的には、視聴制御部３６０が放送番組の再生を開始させると、番組視聴情報生成部３７０は、番組視聴情報のレコードを生成し、番組端末ＩＤ、視聴番組ＩＤ、番組視聴開始時刻情報を記述する。また、番組視聴情報生成部３７０は、視聴制御部３６０が放送番組の再生を終了させると、番組視聴終了時刻情報を番組視聴情報のレコードに記述する。番組視聴情報生成部３７０は、生成した番組視聴情報のレコードを視聴情報分析装置１０に送信する。番組視聴情報の送信は、放送番組の再生開始時、終了時、所定の時間間隔ごと等、任意のタイミングで行われてよい。
以上が受信装置３０の構成についての説明である。
【００４９】
〔番宣管理装置の構成〕
次に、番宣管理装置５０の構成について説明する。
番宣管理装置５０は、通信部５１０と、番宣記憶部５２０と、番宣配信制御部５３０と、を備える。
通信部５１０は、通信用ＩＣを備え、ネットワークＮＷに接続する他の装置と通信する。
番宣記憶部５２０は、受信装置３０に配信可能な番宣のデータを記憶する。
番宣配信制御部５３０は、受信装置３０からの要求に応じて、番宣記憶部５２０から番宣のデータを読み出す。そして、読み出した番宣のデータを受信装置３０に送信する。また、番宣配信制御部５３０は、番宣の送信を開始すると、番宣視聴情報のレコードを生成し、番宣端末ＩＤ、視聴番宣ＩＤ、番宣視聴開始時刻情報を記述する。また、番宣配信制御部５３０は、番宣の配信を終了すると、番宣視聴終了時刻を、番宣視聴情報のレコードに記述する。番組視聴情報生成部３７０は、生成した番宣視聴情報のレコードを視聴情報分析装置１０に送信する。番宣視聴情報の送信は、番宣の送信開始時、終了時、所定の時間間隔ごと等、任意のタイミングで行われてよい。
以上が番宣管理装置５０の構成についての説明である。
【００５０】
〔メタ情報管理装置の構成〕
次に、メタ情報管理装置７０の構成について説明する。
メタ情報管理装置７０は、通信部７１０と、メタ情報記憶部７２０と、メタ情報配信制御部７３０と、を備える。
通信部７１０は、通信用ＩＣを備え、ネットワークＮＷに接続する他の装置と通信する。
メタ情報記憶部７２０は、番組メタ情報と番宣メタ情報とを記憶する。
メタ情報配信制御部７３０は、視聴情報分析装置１０からの要求に応じて、メタ情報記憶部７２０から番組メタ情報や番宣メタ情報を読み出す。そして、読み出した番組メタ情報や番宣メタ情報を受信装置３０に送信する。
以上がメタ情報管理装置７０の構成についての説明である。
【００５１】
〔コンピュータシステムの構成〕
次に、視聴情報分析装置１０、受信装置３０、番宣管理装置５０、メタ情報管理装置７０等が備えるコンピュータシステムの構成について説明する。
本実施形態に係るコンピュータシステムは、ＣＰＵ１０１、記憶媒体１０２、ドライブ部１０３、入力部１０４、出力部１０５、ＲＯＭ１０６、ＲＡＭ１０７、補助記憶部１０８、及びインターフェース部１０９を備える。
ＣＰＵ１０１と、ドライブ部１０３と、入力部１０４と、出力部１０５と、ＲＯＭ１０６と、ＲＡＭ１０７と、補助記憶部１０８と、インターフェース部１０９とは、バス１００（母線）を介して相互に接続される。
【００５２】
ＣＰＵ１０１は、プログラム、各種データを読み出して、当該ＣＰＵ１０１を備える自装置を制御する。記憶媒体１０２は、例えば、光磁気ディスク、フレキシブルディスク、フラッシュメモリなどの可搬記憶媒体であり、例えば、各種データを記憶する。ドライブ部１０３は、例えば、記憶媒体１０２の読み出し装置又は読み書き装置である。入力部１０４は、例えば、マウス、キーボードなどの入力装置である。出力部１０５は、例えば、表示部、スピーカなどの出力装置である。ＲＯＭ１０６は、例えば、プログラムを記憶する記憶媒体である。ＲＡＭ１０７は、例えば、各種データ、プログラムを一時的に記憶する記憶媒体である。補助記憶部１０８は、ＨＤＤ、フラッシュメモリなどの記憶媒体であり、例えば、各種データを記憶する。インターフェース部１０９は、通信用インターフェースを有し、有線又は無線によりネットワークＮＷに接続される。
【００５３】
ＣＰＵ１０１が読み出すプログラムは、例えば、ＲＯＭ１０６、記憶媒体１０２、補助記憶部１０８等に記憶されていてもよいし、ネットワークＮＷからダウンロードしたプログラムを記憶媒体１０２や補助記憶部１０８などに記憶させてもよい。ＣＰＵ１０１が読み出す各種データは、例えば、記憶媒体１０２、補助記憶部１０８、ＲＯＭ１０６等に記憶されていてもよいし、ネットワークＮＷからダウンロードされてもよい。
【００５４】
〔情報処理システムの動作〕
次に、情報処理システム１の動作について説明する。
図１０は、本実施形態に係る情報処理システム１による処理の流れの一例を示すシーケンスチャートである。
図１０に示す例においてステップＳ１００〜Ｓ１０８の処理、ステップＳ１１０〜Ｓ１１６の処理、ステップＳ１１８〜Ｓ１２０の処理は、それぞれ独立に行われてよい。
（ステップＳ１００）受信装置３０は、自装置のユーザにより選択された番宣のデータを番宣管理装置５０に要求する。その後、情報処理システム１は、ステップＳ１０２に処理を進める。
（ステップＳ１０２）番宣管理装置５０は、受信装置３０から要求された番宣のデータを受信装置３０に送信する。その後、情報処理システム１は、ステップＳ１０４、Ｓ１０６に処理を進める。
【００５５】
（ステップＳ１０４）受信装置３０は、番宣管理装置５０から取得した番宣のデータに基づいて番宣を再生する。
（ステップＳ１０６）番宣管理装置５０は、番宣視聴情報を生成し、生成した番宣視聴情報を視聴情報分析装置１０に送信する。その後、情報処理システム１は、ステップＳ１０８に処理を進める。
（ステップＳ１０８）視聴情報分析装置１０は、番宣管理装置５０から取得した番宣視聴情報を自装置の視聴情報記憶部１３０に記憶する。
（ステップＳ１１０）受信装置３０は、例えば、自装置のユーザにより選択された放送番組のデータを、放送波の受信や、自装置の番組蓄積部３５０からの読み出し等により取得する。その後、情報処理システム１は、ステップＳ１１２に処理を進める。
【００５６】
（ステップＳ１１２）受信装置３０は、取得した放送番組のデータに基づいて放送番組を再生する。その後、情報処理システム１は、ステップＳ１１４に処理を進める。
（ステップＳ１１４）受信装置３０は、番組視聴情報を生成し、生成した番組視聴情報を視聴情報分析装置１０に送信する。その後、情報処理システム１は、ステップＳ１１６に処理を進める。
（ステップＳ１１６）視聴情報分析装置１０は、受信装置３０から取得した番組視聴情報を自装置の視聴情報記憶部１３０に記憶する。
（ステップＳ１１８）視聴情報分析装置１０は、自装置の視聴情報記憶部１３０に記憶されている番組視聴情報や番宣視聴情報を分析し、評価番組視聴群Ｐ、評価番宣視聴群Ｃ、番宣番組視聴群ＣＰ等を特定する。その後、情報処理システム１は、ステップＳ１２０に処理を進める。
（ステップＳ１２０）視聴情報分析装置１０は、分析結果をレポートとして出力する。  以上が情報処理システム１の動作の説明である。
【００５７】
〔第１の実施形態のまとめ〕
以上説明したように、本実施形態に係る視聴情報分析装置１０（情報処理装置の一例）は、放送番組の視聴履歴を表す第１履歴情報（例えば、番組視聴情報）と、広告の視聴履歴を表す第２履歴情報（例えば、番宣視聴情報）と、を取得する通信部１１０（第１取得部、第２取得部の一例）と、第１履歴情報と第２履歴情報とに基づいて、第１放送番組（例えば、評価番組）と、第１放送番組を宣伝する第１広告（例えば、評価番宣）との両方を視聴した視聴者数（例えば、番宣番組視聴群ＣＰの人数）を特定し、特定した視聴者数に基づいて第１広告の効果を分析するデータ分析部１５０（分析部の一例）と、を備える。
これにより、視聴情報分析装置１０は、第１広告の視聴との第１放送番組の視聴との関連性を分析することができるため、広告の評価の精度を高めることができる。
【００５８】
［第２の実施形態］
本発明の第２の実施形態について説明する。ここでは、上述した第１の実施形態と同様の構成については、同一の符号を付し、説明を援用する。
図１１は、本実施形態に係る情報処理システム１による広告評価処理の概要を示す図である。
本実施形態では、評価番組に関連する関連番組が存在している。関連番組とは、例えば、連続ドラマ、定期的に放送される同じ名称の番組等である。以下では、評価番組の関連番組を評価関連番組と称する。また、評価関連番組は、評価番組を含まないとして説明する。ここで、評価番組の視聴者が評価関連番組と評価番宣との両方を視聴している場合には、視聴者が、評価番宣の視聴により評価番組を視聴する動機を得たのか、評価関連番組の視聴により評価番組を視聴する動機を得たのかが不明瞭になる。そこで、情報処理システム１は、評価関連番組を視聴していないユーザに絞って分析を行う。
【００５９】
具体的には、情報処理システム１は、ユーザ群Ｕのうち、評価関連番組不視聴群ＮＲＰ（図１１における「評価関連番組視聴群ＲＰ」に含まれない領域）を特定する。
評価関連番組視聴群ＲＰとは、評価関連番組を視聴したユーザ群である。
評価関連番組不視聴群ＮＲＰとは、評価関連番組を視聴していないユーザ群である。  次に、情報処理システム１は、評価関連番組不視聴群ＮＲＰのうち、評価番宣視聴群Ｃ’と、評価番組視聴群Ｐ’と、番宣番組視聴群ＣＰ’と、を特定する。そして、情報処理システム１は、例えば、評価番宣を視聴したユーザのうち、実際に評価番組を視聴したユーザの比率や、評価番組を視聴したユーザのうち、評価番宣を視聴したユーザの比率等を、評価関連番組不視聴群ＮＲＰにおいて分析する。そして、情報処理システム１は、分析結果をレポートとして出力する。これにより、情報処理システム１は、評価関連番組による評価番組への視聴の影響を排除することができるため、評価番宣の評価の精度を高めることができる。
【００６０】
［第３の実施形態］
本発明の第３の実施形態について説明する。ここでは、上述した第１の実施形態と同様の構成については、同一の符号を付し、説明を援用する。
図１２は、本実施形態に係る情報処理システム１による広告評価処理の概要を示す図である。
本実施形態では、評価番宣に関連する関連番宣が存在している。関連番宣とは、例えば、１つの放送番組に対して複数用意された内容の異なる番宣である。以下では、評価番宣の関連番宣を評価関連番宣と称する。また、評価関連番宣は、評価番宣を含まないとして説明する。ここで、評価番組の視聴者が評価番宣と評価関連番宣との両方を視聴している場合には、視聴者が、評価番宣の視聴により評価番組を視聴する動機を得たのか、評価関連番宣の視聴により評価番組を視聴する動機を得たのかが不明瞭になる。そこで、情報処理システム１は、評価関連番宣を視聴していないユーザに絞って分析を行う。
【００６１】
具体的には、情報処理システム１は、ユーザ群Ｕのうち、評価関連番宣不視聴群ＮＲＣ（図１２における「評価関連番宣視聴群ＲＣ」に含まれない領域）を特定する。
評価関連番宣視聴群ＲＣとは、評価関連番宣を視聴したユーザ群である。
評価関連番宣不視聴群ＮＲＣとは、評価関連番宣を視聴していないユーザ群である。  次に、情報処理システム１は、評価関連番宣不視聴群ＮＲＣのうち、評価番宣視聴群Ｃ”と、評価番組視聴群Ｐ”と、番宣番組視聴群ＣＰ”と、を特定する。そして、情報処理システム１は、例えば、評価番宣を視聴したユーザのうち、実際に評価番組を視聴したユーザの比率や、評価番組を視聴したユーザのうち、評価番宣を視聴したユーザの比率等を、評価関連番宣不視聴群ＮＲＣにおいて分析する。そして、情報処理システム１は、分析結果をレポートとして出力する。これにより、情報処理システム１は、評価関連番宣による評価番組への視聴の影響を排除することができるため、評価番宣の評価の精度を高めることができる。
【００６２】
［第４の実施形態］
〔情報処理システムの概要〕
本発明の第４の実施形態について説明する。ここでは、上述した第１の実施形態と同様の構成については、同一の符号を付し、説明を援用する。
本実施形態において、視聴情報分析装置１０は、ユーザの属性ごとに番宣の効果を分析する。
まず、視聴情報分析装置１０が出力するレポートについて説明する。
図１３は、本実施形態に係る視聴情報分析装置１０が出力するレポートの一例を示す図である。
図１３に示すレポートＲ３は、男性ごと、女性ごとに、評価番宣の視聴の有無と、評価番組の視聴の有無とに基づいて４群に分類し、ユーザ群Ｕ全体に占める各群の割合を表したものである。
このように、視聴情報分析装置１０は、性別等のユーザの属性ごとに番宣の効果を分析したレポートを出力する。これにより、ユーザの属性に応じた番宣の効果の違いを確認することができる。
ユーザの属性に応じた番宣の評価の分析は、視聴情報分析装置１０のデータ分析部１５０による処理において、ユーザの属性を条件として番宣視聴情報及び番組視聴情報を抽出することにより可能となる。
【００６３】
〔ユーザ属性情報〕
ここで、ユーザの属性を示すユーザ属性情報について説明する。ユーザ属性情報は、ネットワークＮＷに接続する任意の装置に記憶されていてよい。ここでは、一例として、視聴情報分析装置１０がユーザ属性情報を予め記憶しているとして説明する。
図１４は、実施形態に係るユーザ属性情報の一例を示す図である。
図１４に示す例において、ユーザ属性情報の各レコードは、ユーザＩＤ（図１４における「ユーザＩＤ」）と、生年月情報（図１４における「生年月」）と、性別情報（図１４における「性別」）と、居住地域情報（図１４における「居住地域」）と、家族構成情報（図１４における「家族構成」）と、興味ジャンル情報（図１４における「興味のあるジャンル」）と、登録端末ＩＤ（図１４における「登録端末ＩＤ」）と、が互いに対応付けられて構成されている。
【００６４】
ユーザＩＤは、ユーザを識別する情報である。
生年月情報は、ユーザの生年月を示す情報である。
性別情報は、ユーザの性別を示す情報である。
居住地域情報は、ユーザの居住地域を示す情報である。
家族構成情報は、ユーザの家族構成を示す情報である。
興味ジャンル情報は、ユーザが興味を持つジャンルを示す情報である。
登録端末ＩＤは、ユーザが利用する受信装置３０を示す情報である。登録端末ＩＤには、端末ＩＤが記述される。
【００６５】
ユーザ属性情報の各レコードにおいて、生年月情報、性別情報、居住地域情報、家族構成情報、興味ジャンル情報、及び、登録端末ＩＤには、これらに対応するユーザＩＤのユーザに係る情報が記述される。つまり、ユーザ属性情報は、ユーザと、ユーザが利用する端末、及び、ユーザの各種属性を対応付ける。なお、ユーザ属性情報には、例えば、職業等、上述した以外の任意のユーザの属性情報が含まれてよい。
従って、データ分析部１５０は、ユーザ属性情報を参照することにより、例えば、世代別、男女別、地域別、家族構成別、興味があるジャンル別等のユーザの属性に応じて番組視聴情報や番宣視聴情報を抽出することができる。
以上がユーザ属性情報についての説明である。
【００６６】
〔第４の実施形態のまとめ〕
以上説明したように、本実施形態に係る情報処理システム１は、ユーザ属性情報に基づいて番宣視聴情報と番組視聴情報とを抽出し、評価番宣の視聴と評価番組の視聴との関連性を分析する。これにより、情報処理システム１は、ユーザの属性ごとに評価番宣の効果を分析したレポートを出力することができる。
【００６７】
［第５の実施形態］
〔情報処理システムの概要〕
本発明の第５の実施形態について説明する。ここでは、上述した第１の実施形態と同様の構成については、同一の符号を付し、説明を援用する。
第１の実施形態では、番宣が通信を介して伝送される通信コンテンツである場合について説明した。本実施形態では、番宣が放送を介して伝送される放送コンテンツである。この場合、番宣メタ情報のデータ構成と、番宣視聴情報のデータ構成とが、第１の実施形態とは異なる。
【００６８】
〔番宣メタ情報〕
まず、本実施形態に係る番宣メタ情報について説明する。
図１５は、本実施形態に係る番宣メタ情報の一例を示す図である。
番宣が放送コンテンツとして伝送される場合、番宣メタ情報は、番組メタ情報のデータ構成を用いて表現することができる。
図１５に示す例において、番宣メタ情報の各レコードは、番宣ＩＤ（図１５における「番組ＩＤ」）と、番宣放送局情報（図１５における「放送局」）と、番宣名情報（図１５における「番組名」）と、番宣放送開始時刻情報（図１５における「放送開始時刻」）と、番宣放送終了時刻情報（図１５における「放送終了時刻」）と、番宣時間情報（図１５における「時間」）と、対象番組ＩＤ（図１５における「対象番組ＩＤ」）と、が互いに対応付けられて構成されている。
【００６９】
図１５に示す各情報の項目名と、図４に示す各情報の項目名とが概ね一致していることからもわかるように、本実施形態に係る番宣メタ情報に含まれる各種情報は、第１の実施形態に係る番組メタ情報に含まれる各種情報に対応している。つまり、番宣が放送コンテンツである場合、番宣メタ情報は、番組メタ情報のフォーマットで記述されてもよい。ここでは、番宣ＩＤと、番宣放送局情報と、番宣名情報と、番宣時間情報と、対象番組ＩＤは、第１の実施形態と同様であるため、説明を省略する。
番宣放送開始時刻情報は、番宣の放送開始時刻を示す情報である。
番宣放送終了時刻情報は、番宣の放送終了時刻を示す情報である。
以上が番宣メタ情報についての説明である。
【００７０】
〔番宣視聴情報〕
次に、番宣視聴情報について説明する。
図１６は、本実施形態に係る番宣視聴情報の一例を示す図である。
番宣が放送コンテンツとして伝送される場合、番宣視聴情報は、番組視聴情報のデータ構成を用いて表現することができる。
図１６に示す例において、番宣視聴情報の各レコードは、番宣端末ＩＤ（図１６における「端末ＩＤ」）と、視聴番宣ＩＤ（図１６における「番組ＩＤ」）と、番宣視聴開始時刻情報（図１６における「視聴開始時刻」）と、番宣視聴終了時刻情報（図１６における「視聴終了時刻」）と、が互いに対応付けられて構成されている。
【００７１】
図１６に示す各情報の項目名と、図６に示す各情報の項目名とが一致していることからもわかるように、本実施形態に係る番宣視聴情報に含まれる各種情報は、第１の実施形態に係る番組視聴情報に含まれる各種情報に対応している。つまり、番宣が放送コンテンツである場合、番宣視聴情報は、番組視聴情報のフォーマットで記述されてもよい。ここでは、番宣端末ＩＤと、視聴番宣ＩＤと、番宣視聴開始時刻情報と、番宣視聴終了時刻情報とは、第１の実施形態と同様であるため、説明を省略する。
以上が番宣視聴情報についての説明である。
【００７２】
〔第５の実施形態のまとめ〕
以上説明したように、本実施形態において、番宣メタ情報は、番組メタ情報のフォーマットで記述される。また、番宣視聴情報は、番組視聴情報のフォーマットで記述される。これにより、情報処理システム１は、番宣が放送コンテンツである場合であっても、番宣メタ情報や番宣視聴情報を記述するための特別なフォーマットを用意する必要がない。また、情報処理システム１は、番宣が通信コンテンツである場合と同様に、評価番宣の効果を分析することができる。
【００７３】
［変形例］
以上、この発明の実施形態について図面を参照して詳述してきたが、具体的な構成は上述の実施形態に限られるものではなく、この発明の要旨を逸脱しない範囲の設計等も含まれる。例えば、上述の第１〜第５の実施形態において説明した各構成は、任意に組み合わせられてもよいし、任意に分離されてもよい。
【００７４】
また、ユーザ群Ｕの選択方法は、上述したものに限定されない。例えば、ユーザ群Ｕは、受信装置３０のユーザのうち、事前に登録を行ったユーザであってもよい。
なお、上述した各実施形態では評価番宣が指定される場合について説明したが、評価番組が指定されてもよい。この場合、データ分析部１５０は、メタ情報管理装置７０から番組メタ情報を取得し、取得した番組メタ情報を参照することにより、評価番宣に対応する評価番組を特定することができる。
【００７５】
また、上述した端末ＩＤは、統一されたユーザＩＤに置き換えられてもよい。また、端末ＩＤと、ユーザＩＤとの両方が併用されてもよい。この場合、上述したユーザ属性情報のようにユーザＩＤと端末ＩＤとを対応付ける情報が用いて、ユーザと受信装置３０との対応関係を特定してよい。また、１つのユーザＩＤに複数の端末ＩＤが対応してもよい。この場合、１人のユーザが異なる受信装置３０で放送番組や番宣を視聴した場合であっても、そのユーザの視聴状況を正確に把握することができる。また、ユーザの特定には、任意の方法を用いてよい。例えば、受信装置３０に予め登録されたユーザＩＤを用いてもよいし、受信装置３０が備える撮像部によりユーザの顔の画像を撮像し、画像認識によりユーザを特定してもよいし、生体認証技術を用いてユーザを特定してもよい。
【００７６】
また、レポートの書式は上述したものに限定されない。図表の他、グラフ、アイコン等により、広告の効果を表現してもよい。また、レポートに用いる数値も上述したものに限定されない。例えば、評価番宣視聴群Ｃ、評価番組視聴群Ｐ、番宣番組視聴群ＣＰの各群に含まれる人数や、各群の視聴量（例えば、総視聴時間、平均視聴時間）等、上述した各種情報から特定可能な任意のパラメータを用いてレポートを生成してよい。また、例えば、上述したレポートＲ１等の項目を「視聴した」、「視聴していない」の２段階ではなく、視聴量に応じて３段階以上に細分化してもよい。
【００７７】
また、上述の視聴情報分析装置１０、受信装置３０、番宣管理装置５０、メタ情報管理装置７０の機能を実現するためのプログラムをコンピュータ読み取り可能な記録媒体に記録して、この記録媒体に記録されたプログラムをコンピュータシステムに読み込ませ、実行することにより視聴情報分析装置１０、受信装置３０、番宣管理装置５０、メタ情報管理装置７０としての処理を行ってもよい。ここで、「記録媒体に記録されたプログラムをコンピュータシステムに読み込ませ、実行する」とは、コンピュータシステムにプログラムをインストールすることを含む。
【００７８】
ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。また、記録媒体には、当該プログラムを配信するために配信サーバからアクセス可能な内部又は外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。
【００７９】
なお、プログラムを複数に分割し、それぞれ異なるタイミングでダウンロードした後に端末装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムに既に記録されているプログラムとの組み合わせで実現できるもの、いわゆる差分ファイル（差分プログラム）であってもよい。
【００８０】
［付記］
以上の記載から本発明は例えば以下のように把握される。
（付記１）
本発明の一態様は、情報処理装置が、放送番組の視聴履歴を表す第１履歴情報を取得する第１ステップと、前記情報処理装置が、広告の視聴履歴を表す第２履歴情報を取得する第２ステップと、前記情報処理装置が、前記第１履歴情報と前記第２履歴情報とに基づいて、第１放送番組と、前記第１放送番組を宣伝する第１広告との両方を視聴した視聴者数を特定し、特定した前記視聴者数に基づいて前記第１広告の効果を分析する第３ステップと、を含む情報処理方法である。
【００８１】
（付記２）
本発明の一態様は、放送番組の視聴履歴を表す第１履歴情報を取得する第１取得部と、通信を介して伝送される広告の視聴履歴を表す第２履歴情報を取得する第２取得部と、前記第１履歴情報と前記第２履歴情報とに基づいて、第１放送番組と、前記第１放送番組を宣伝する第１広告との両方を視聴した視聴者数を特定し、特定した前記視聴者数に基づいて前記第１広告の効果を分析する分析部と、を備える情報処理装置である。
【００８２】
本発明の一態様は、放送番組の視聴履歴を表す第１履歴情報を取得する第１取得部と、広告の視聴履歴を表す第２履歴情報を取得する第２取得部と、前記第１履歴情報と前記第２履歴情報とに基づいて、第１放送番組と、前記第１放送番組を宣伝する第１広告との両方を視聴した視聴者数を特定し、特定した前記視聴者数に基づいて前記第１広告の効果を分析する分析部と、を備え、前記分析部は、前記第１放送番組を視聴し、且つ、前記第１放送番組の放送前に前記第１広告を視聴したことを条件として設定し、前記第１履歴情報と前記第２履歴情報から条件に合致する視聴者を抽出することで、前記視聴者数を特定する情報処理装置である。
【００８３】
本発明の一態様は、放送番組の視聴履歴を表す第１履歴情報を取得する第１取得部と、広告の視聴履歴を表す第２履歴情報を取得する第２取得部と、前記第１履歴情報と前記第２履歴情報とに基づいて、第１放送番組と、前記第１放送番組を宣伝する第１広告との両方を視聴した視聴者数を特定し、特定した前記視聴者数に基づいて前記第１広告の効果を分析する分析部と、を備え、前記分析部は、前記第１放送番組を視聴し、且つ、前記第１放送番組の視聴前に前記第１広告を視聴したことを条件として設定し、前記第１履歴情報と前記第２履歴情報から条件に合致する視聴者を抽出することで、前記視聴者数を特定する情報処理装置である。
【００８４】
本発明の一態様は、放送番組の視聴履歴を表す第１履歴情報を取得する第１取得部と、広告の視聴履歴を表す第２履歴情報を取得する第２取得部と、前記第１履歴情報と前記第２履歴情報とに基づいて、第１放送番組と、前記第１放送番組を宣伝する第１広告との両方を視聴した視聴者数を特定し、特定した前記視聴者数に基づいて前記第１広告の効果を分析する分析部と、を備え、前記分析部は、前記視聴者数に、前記第１放送番組に関連する放送番組の視聴者数と、前記第１放送番組の広告であって、前記第１広告とは異なる第２広告の視聴者数との両方又はいずれかを含めない情報処理装置である。
【００８５】
本発明の一態様は、放送番組の視聴履歴を表す第１履歴情報を取得する第１取得部と、広告の視聴履歴を表す第２履歴情報を取得する第２取得部と、前記第１履歴情報、前記第２履歴情報、及び、第１履歴情報と第２履歴情報に含まれる識別情報に対応付けられたユーザ属性情報に基づいて、第１放送番組と、前記第１放送番組を宣伝する第１広告との両方を視聴した視聴者数を前記ユーザ属性情報毎に特定し、特定した前記ユーザ属性情報毎の視聴者数に基づいて前記第１広告の効果を分析する分析部と、を備える情報処理装置である。
【００８６】
本発明の一態様は、放送番組の視聴履歴を表す第１履歴情報を取得する第１取得部と、広告の視聴履歴を表す第２履歴情報を取得する第２取得部と、前記第１履歴情報と前記第２履歴情報とに基づいて、第１放送番組と前記第１放送番組を宣伝する第１広告との両方を視聴した視聴者数と、前記第１放送番組の放送時に前記第１放送番組とは異なる第２放送番組を視聴し、かつ、前記第１放送番組を宣伝する第１広告を視聴した或いは視聴しなかった視聴者数と、を特定し、特定した前記視聴者数に基づいて前記第１広告の効果を分析する分析部と、を備える情報処理装置である。
【００８７】
本発明の一態様は、放送番組の視聴履歴を表す第１履歴情報を取得する第１取得部と、広告の視聴履歴を表す第２履歴情報を取得する第２取得部と、前記第１履歴情報と前記第２履歴情報とに基づいて、第１放送番組と前記第１放送番組を宣伝する第１広告との両方を視聴した視聴者数と、前記第１放送番組の放送時に放送番組も視聴せず、かつ、前記第１放送番組を宣伝する第１広告を視聴した或いは視聴しなかった視聴者数と、を特定し、特定した前記視聴者数に基づいて前記第１広告の効果を分析する分析部と、を備える情報処理装置である。
【００８８】
本発明の一態様は、上記情報処理装置において、前記第１履歴情報と前記第２履歴情報との両方には、識別情報が含まれ、前記分析部は、識別情報に基づいて視聴者数を計数する情報処理装置である。
【００８９】
本発明の一態様は、コンピュータに、放送番組の視聴履歴を表す第１履歴情報を取得する第１ステップと、通信を介して伝送される広告の視聴履歴を表す第２履歴情報を取得する第２ステップと、前記第１履歴情報と前記第２履歴情報とに基づいて、第１放送番組と、前記第１放送番組を宣伝する第１広告との両方を視聴した視聴者数を特定し、特定した前記視聴者数に基づいて前記第１広告の効果を分析する第３ステップと、を実行させるためのプログラムである。
【００９０】
本発明の一態様は、情報処理装置と、受信装置とが互いに通信する情報処理システムであって、前記情報処理装置は、前記受信装置により視聴された放送番組の視聴履歴を表す第１履歴情報を取得する第１取得部と、通信を介して伝送されて視聴された広告の視聴履歴を表す第２履歴情報を取得する第２取得部と、前記第１履歴情報と前記第２履歴情報とに基づいて、第１放送番組と、前記第１放送番組を宣伝する第１広告との両方を視聴した視聴者数を特定し、特定した前記視聴者数に基づいて前記第１広告の効果を分析する分析部と、を備える情報処理システムである。
【００９１】
本発明の一態様は、放送番組の表示の開始と終了とを制御する視聴制御部と、前記放送番組の視聴履歴を表す第１履歴情報を生成する番組視聴情報生成部と、前記第１履歴情報を送信する送信部と、を備える受信装置であって、前記送信部は、前記第１履歴情報を取得する第１取得部と、通信を介して伝送される広告の視聴履歴を表す第２履歴情報を取得する第２取得部と、前記第１履歴情報と前記第２履歴情報とに基づいて、第１放送番組と、前記第１放送番組を宣伝する第１広告との両方を視聴した視聴者数を特定し、特定した前記視聴者数に基づいて前記第１広告の効果を分析する分析部と、を備える情報処理装置に前記第１履歴情報を送信する受信装置である。
【００９２】
本発明の一態様は、受信装置のコンピュータに、放送番組の表示の開始と終了とを制御する第１ステップと、前記放送番組の視聴履歴を表す第１履歴情報を生成する第２ステップと、前記第１履歴情報を送信する第３ステップであって、前記第１履歴情報を取得する第１取得部と、通信を介して伝送される広告の視聴履歴を表す第２履歴情報を取得する第２取得部と、前記第１履歴情報と前記第２履歴情報とに基づいて、第１放送番組と、前記第１放送番組を宣伝する第１広告との両方を視聴した視聴者数を特定し、特定した前記視聴者数に基づいて前記第１広告の効果を分析する分析部と、を備える情報処理装置に前記第１履歴情報を送信する第３ステップと、を実行させるためのプログラムである。
【符号の説明】
【００９３】
１…情報処理システム、１０…視聴情報分析装置、３０…受信装置、５０…番宣管理装置、７０…メタ情報管理装置、９０…放送装置、１１０…通信部、１２０…レポート出力部、１３０…視聴情報記憶部、１４０…登録部、１５０…データ分析部、３１０…通信部、３２０…放送受信部、３３０…操作受付部、３４０…再生部、３５０…番組蓄積部、３６０…視聴制御部、３７０…番組視聴情報生成部、５１０…通信部、５２０…番宣記憶部、５３０…番宣配信制御部、７１０…通信部、７２０…メタ情報記憶部、７３０…メタ情報配信制御部
【図１】
2018125864.tif 000003
【図２】
2018125864.tif 000004
【図３】
2018125864.tif 000005
【図４】
2018125864.tif 000006
【図５】
2018125864.tif 000007
【図６】
2018125864.tif 000008
【図７】
2018125864.tif 000009
【図８】
2018125864.tif 000010
【図９】
2018125864.tif 000011
【図１０】
2018125864.tif 000012
【図１１】
2018125864.tif 000013
【図１２】
2018125864.tif 000014
【図１３】
2018125864.tif 000015
【図１４】
2018125864.tif 000016
【図１５】
2018125864.tif 000017
【図１６】
2018125864.tif 000018